(57)【特許請求の範囲】
【請求項１】
ＤＢＰＳＫ方式で変調した伝送多重制御信号のキャリアとともにデータ信号のキャリアをＯＦＤＭ方式で変調したディジタル放送を受信するためのディジタル放送受信機であって、
前記データ信号および前記伝送多重制御信号のキャリアをＯＦＤＭ方式で復調するＯＦＤＭ復調手段と、
前記ＯＦＤＭ復調手段から出力される伝送多重制御信号のキャリアを示すビットの中から、最上位ビットに最も近くかつ前記最上位ビットの値と異なる値を有するビットとその１つ上のビットとを抽出する有効ビット抽出手段と、
前記有効ビット抽出手段から出力されるビットをＤＢＰＳＫ方式で復調して伝送多重制御信号を得るＤＢＰＳＫ復調手段と、
前記ＤＢＰＳＫ復調手段から出力される伝送多重制御信号に基づいて、前記ＯＦＤＭ復調手段から出力されるデータ信号のキャリアを復調してデータ信号を得るデータ信号復調手段とを備える、ディジタル放送受信機。
【請求項２】
前記有効ビット抽出手段はさらに、前記最上位ビットの値と異なる値を有するビットの１つ下のビットを抽出する、請求項１に記載のディジタル放送受信機。
【請求項３】
前記有効ビット抽出手段は、
前記伝送多重制御信号のキャリアの符号を判別する符号判別手段と、
前記符号判別手段による判別の結果、前記符号が正の場合は最上位ビットから順にビットを検索して「１」を有する最初のビットの位置を特定し、前記符号が負の場合は最上位ビットから順にビットを検索して「０」を有する最初のビットの位置を特定するビット検索手段と、
前記ビット検索手段により特定された位置のビットとその１つ上のビットとを抜き出すビット抜出手段とを含む、請求項１に記載のディジタル放送受信機。
【請求項４】
前記ビット抜出手段はさらに、前記特定された位置のビットの１つ下のビットを抜き出す、請求項３に記載のディジタル放送受信機。
【発明の詳細な説明】
【０００１】
【発明の属する技術分野】
この発明はディジタル放送受信機に関し、さらに詳しくは、伝送多重制御（ＴＭＣＣ；Transmission and Multiplexing Configration Control）信号を用いた直交周波数分割多重（ＯＦＤＭ；Orthogonal Frequency Division Multiplexing）方式の地上波ディジタルテレビジョン放送のための受信機に関する。
【０００２】
【従来の技術】
電気通信技術審議会は１９９９年５月２４日に地上ディジタルテレビジョン放送方式に関する答申を郵政省に提出した。答申の概要は郵政省のウェブサイト（http://www.mpt.go.jp/pressrelease/japanese/housou/990524j701.html （１９９９年８月２０日現在））で公表されている。
【０００３】
この放送方式によると、変調方式にはＯＦＤＭ方式、映像や音声などの情報源符号化方式および多重化方式にはＭＰＥＧ−２を採用している。この放送方式による送信機は、映像や音声などのアナログ信号をディジタル信号に変換して圧縮する符号化部と、圧縮された複数の情報を組合せる多重化部と、伝送中に生じる情報の誤りを訂正するための誤り訂正符号化部と、情報を効率よく伝送するための変調部とから構成される。一方、受信機はこの逆の処理を行なうように構成される。
【０００４】
この放送方式によると、各フレームは２０４シンボルで構成される。各シンボルには数千のキャリアが含まれる。この多数のキャリアからなる伝送帯域幅は１３セグメントに分割され、その１３セグメントは最大３階層に分割される。キャリアの変調方式としては、差動４相位相変調（ＤＱＰＳＫ；Differential Quadrature Phase Shift Keying）、４相位相変調（ＱＰＳＫ；Quadrature Phase Shift Keying ）、１６直交振幅変調（１６ＱＡＭ；16 Quadrature Amplitude Modulation）、６４直交振幅変調（６４ＱＡＭ；64 Quadrature Amplitude Modulation）の４種類があり、各階層ごとにいずれかの変調方式を指定することができる。したがって、各階層内のキャリアは映像や音声などのデータ信号に応じて指定の変調方式で変調される。
【０００５】
また、このようなデータ信号用のキャリアに加えて、現在伝送されているキャリア変調方式、畳み込み符号化率、時間インタリーブ長などのパラメータを指定するためにＴＭＣＣ信号用のキャリアが挿入される。ＴＭＣＣ信号はシンボル数に対応する２０４ビットからなる。このＴＭＣＣ信号用のキャリアはＴＭＣＣ信号に応じて差動２相位相変調（ＤＢＰＳＫ；Differential Binary Phase Shift Keying）方式で変調される。ＴＭＣＣ信号のキャリアはデータ信号のキャリアに比べてレベルが高くしかもＤＢＰＳＫ方式で変調されているため、そのキャリアのレベルを示す複数ビットのうち上位数ビットだけを用いてＴＭＣＣ信号を復号するのが一般的であろう。
【０００６】
【発明が解決しようとする課題】
しかしながら、その上位数ビット分のＤＢＰＳＫ復調回路が必要となるため、回路規模が大きくなるという問題が生じる。一方、回路規模を小さくするために、より少ない上位数ビットだけを用いてＴＭＣＣ信号を復号すると、ＴＭＣＣ信号のキャリアが伝送中に振幅歪みまたは位相歪みを受けてそのレベルが低くなった場合に復号精度が悪くなるという問題が生じる。すなわち、復号精度を高くすると回路規模が大きくなり、回路規模を小さくすると復号精度が低下するというように、回路規模と復号精度には、いわゆるトレードオフの関係がある。
【０００７】
この発明は、上記のような問題を解決するためになされたもので、小さい回路規模でも高い精度でＴＭＣＣ信号を得ることが可能なディジタル放送受信機を提供することを目的とする。
【０００８】
【課題を解決するための手段】
この発明によるディジタル放送受信機は、ＤＢＰＳＫ方式で変調した伝送多重制御信号のキャリアとともにデータ信号のキャリアをＯＦＤＭ方式で変調したディジタル放送を受信するためのディジタル放送受信機であって、ＯＦＤＭ復調手段と、有効ビット抽出手段と、ＤＢＰＳＫ復調手段と、データ信号復調手段とを備える。ＯＦＤＭ復調手段は、データ信号および伝送多重制御信号のキャリアをＯＦＤＭ方式で復調する。有効ビット抽出手段は、ＯＦＤＭ復調手段から出力される伝送多重制御信号のキャリアを示すビットの中から、最上位ビットに最も近くかつ最上位ビットの値と異なる値を有するビットとその１つ上のビットとを抽出する。ＤＢＰＳＫ復調手段は、有効ビット抽出手段から出力されるビットをＤＢＰＳＫ方式で復調して伝送多重制御信号を得る。データ信号復調手段は、ＤＢＰＳＫ復調手段から出力される伝送多重制御信号に基づいて、ＯＦＤＭ復調手段から出力されるデータ信号のキャリアを復調してデータ信号を得る。
【０００９】
このディジタル放送受信機においては、伝送多重制御信号のキャリアを示すビットの中から最上位ビットに最も近くかつ最上位ビットの値と異なる値を有するビットとその１つ上のビットとを抽出し、その抽出したビットを復調して伝送多重制御信号を得ているので、ＤＢＰＳＫ復調手段に必要な回路規模が小さくなり、しかも高い精度で伝送多重制御信号が得られる。
【００１０】
好ましくは、上記有効ビット抽出手段はさらに、最上位ビットの値と異なる値を有するビットの１つ下のビットを抽出する。
【００１１】
したがって、より高い精度で伝送多重制御信号が得られる。
好ましくは、上記有効ビット抽出手段は、符号判別手段と、ビット検索手段と、ビット抜出手段とを含む。符号判別手段は、伝送多重制御信号のキャリアの符号を判別する。ビット検索手段は、符号判別手段による判別の結果、符号が正の場合は最上位ビットから順にビットを検索して「１」を有する最初のビットの位置を特定し、符号が負の場合は最上位ビットから順にビットを検索して「０」を有する最初のビットの位置を特定する。ビット抜出手段は、ビット検索手段により特定された位置のビットとその１つ上のビットとを抜き出す。
【００１２】
したがって、ＤＢＰＳＫ復調手段に必要な回路規模が小さくなり、しかも高い精度で伝送多重制御信号が得られる。
【００１３】
さらに好ましくは、上記ビット抜出手段はさらに、特定された位置のビットの１つ下のビットを抜出す。
【００１４】
したがって、より高い精度で伝送多重制御信号が得られる。
【００１５】
【発明の実施の形態】
以下、この発明の実施の形態を図面を参照して詳しく説明する。なお、図中同一または相当部分には同一符号を付してその説明は繰返さない。
【００１６】
図１を参照して、この発明の実施の形態による地上波ディジタルテレビジョン放送受信機は、アンテナ１０で受信したディジタル放送の中から所望のチャネルを選択するチューナ１２と、その選択したチャネルの信号をＯＦＤＭ方式で復調するＯＦＤＭ復調回路１４と、その復調した信号に含まれるＴＭＣＣ信号を復号するＴＭＣＣ復号回路１６と、その復号したＴＭＣＣ信号に基づいてＯＦＤＭ復調回路１４で復調した信号を検波する検波回路１８と、その検波した信号を時間および周波数でデインタリーブする時間・周波数デインタリーブ回路２０と、そのデインタリーブした信号の誤り訂正を行なう誤り訂正回路２２とを備える。
【００１７】
ＯＦＤＭ復調回路１４は、チューナ１２からの信号をＩ（同相）信号およびＱ（直交）信号に分離する直交復調回路１４１と、直交復調回路１４１から出力されるアナログ信号をディジタル信号に変換するＡ／Ｄ変換器１４２と、Ａ／Ｄ変換器１４２から出力される信号を同期検波する狭帯域ＡＦＣ（自動周波数制御）回路１４３と、狭帯域ＡＦＣ回路１４３から出力される信号を高速フーリエ変換するＦＦＴ回路１４４と、ＦＦＴ回路１４４から出力される信号を再び同期検波する広帯域ＡＦＣ回路１４５とを含む。ＯＦＤＭ復調方式の詳細は、本出願人の先願である特願平１０−２３８８８５号に開示されている。
【００１８】
図２は、高速フーリエ変換後の信号の構成を示す。図２に示すように、この信号には周波数の異なる数千のキャリアが含まれている。これらキャリアには、データ信号用のキャリアの他、ＴＭＣＣ信号用のキャリア、パイロット信号用のキャリア、ヌル信号用のキャリアなどがある。データ信号用のキャリアは１３セグメントに分割され、これら１３セグメントは最大３階層に分割されている。データ信号用のキャリアは各階層ごとに指定された変調方式でデータ信号に応じて変調されている。ＴＭＣＣ信号用のキャリアはＤＢＰＳＫ方式でＴＭＣＣ信号に応じて変調されている。
【００１９】
各フレームは２０４シンボルで構成されている。各シンボルごとにデータの開始位置を示すパルスがあり、この位置を基準として予め定められた位置に複数のＴＭＣＣ信号が挿入されている。ただし、同一シンボル内の複数のＴＭＣＣ信号はすべて同一情報を有している。また、各シンボル内には複数のパイロット信号も予め定められた位置に挿入されている。また、ヌル信号は各シンボル内の両側に挿入されている。
【００２０】
図１に示した高速フーリエ変換前の狭帯域ＡＦＣ回路１４３では、このようなキャリア間隔以内の周波数ずれをなくしている。図１に示した高速フーリエ変換後の広帯域ＡＦＣ回路１４５ではさらに、このようなキャリア間隔単位の周波数ずれをパイロット信号を基準にしてなくしている。これら２つのＡＦＣ回路１４３，１４５が動作して周波数ずれが全くなくなる。なお、上述したデータ開始パルスはこの広帯域ＡＦＣ回路１４５で生成される。
【００２１】
以上のようにＯＦＤＭ復調によりキャリア間隔以内のずれがなくなりかつキャリア間隔単位のずれがなくなれば、ＴＭＣＣ信号用のキャリアはデータ開始パルスの位置を基準に予め定められた位置にあるので、シンボル間で同じ位置にあるＴＭＣＣ信号用のキャリアをＤＢＰＳＫ方式で復調することによりＴＭＣＣ信号を復号することができる。
【００２２】
ここで、ＤＢＰＳＫ変復調について簡単に説明する。ＴＭＣＣ信号は、１フレーム中のシンボル数と同じ２０４ビットからなる。ＤＢＰＳＫ変調によると、ＴＭＣＣ信号の各ビットは対応するシンボルとその１つ前のシンボルとの間におけるキャリアの位相差として符号化される。より具体的には、「０」は０度の位相差として符号化され、「１」は１８０度の位相差として符号化される。実際には図３のコンスタレーション上に示すようにキャリアのＩ信号のレベルを変化させる。「０」のビットを符号化する場合において１つ前のシンボル中のＩ信号が負のときはそのビットに対応するシンボル中のＩ信号も負とする。一方、「１」のビットを符号化する場合において１つ前のシンボル中のＩ信号が負のときはそのビットに対応するシンボル中のＩ信号を正とする。なお、いずれの場合もＱ信号は常に「０」とする。
【００２３】
このようなＩ信号およびＱ信号のレベルを２の補数を用いてたとえば１２ビットで表示すると、正の最大レベルを有するＩ信号は［011111111111］となり、負の最大レベルを有するＩ信号は［100000000000］となる。Ｑ信号は常に［000000000000］となる。ここで、最上位ビット（ＭＳＢ）は符号ビットである。
【００２４】
ＤＢＰＳＫ方式による復調は上記と逆の処理を行なう。
図４を参照して、ＴＭＣＣ復号回路１６は、ＴＭＣＣ信号用キャリアの有効な上位数ビットを抽出する有効ビット抽出回路１６１と、有効ビット抽出回路１６１から出力される信号をＤＢＰＳＫ方式で復調するＤＢＰＳＫ復調回路１６２と、ＤＢＰＳＫ復調回路１６２から出力されるＴＭＣＣ信号の中から同期ワードを検出しかつ保護する同期検出・保護回路１６３と、ＤＢＰＳＫ復調回路１６２から出力されるＴＭＣＣ信号の各ビットを同一シンボル内で多数決する多数決回路１６４と、多数決回路１６４から出力されるＴＭＣＣ信号の誤り訂正を行なうＳＤＳＣ（差集合巡回）復号回路１６５と、ＳＤＳＣ復号回路１６５から出力される誤り訂正後のＴＭＣＣ信号を取得するＴＭＣＣ信号取得回路１６６と、フレームパルスを含む各種制御信号、Ｉ，Ｑのデータ信号およびＴＭＣＣ信号のタイミングを合わせて出力するタイミング調整回路１６７とを含む。
【００２５】
有効ビット抽出回路１６１を設けた点がこの発明の特徴であり、その他の回路１６２〜１６７はＴＭＣＣ信号の一般的な復号処理を行なう。
【００２６】
ＤＢＰＳＫ復調回路１６２では、各シンボル内で同じ位置にあるＴＭＣＣ信号のキャリアをＤＢＰＳＫ方式で復調する。より具体的には、現在のシンボル中のキャリアをその１つ前のシンボル中のキャリアと位相比較し、位相差が０度であれば「０」とし、位相差が１８０度であれば「１」とする。たとえば図３に示すように、現在のＩ信号が負でありかつその１つ前のＩ信号も負であれば位相差は０度であるから現在のシンボルに対応するＴＭＣＣ信号のビットを「０」と復調する。一方、現在のＩ信号が正でありかつその１つ前のＩ信号が負であれば位相差は１８０度であるから現在のシンボルに対応するＴＭＣＣ信号のビットを「１」と復調する。
【００２７】
多数決回路１６４では、その復調したビットを各シンボル内で対比し、多数決により「０」か「１」に決定する。各シンボル内には同じ情報を有するＴＭＣＣ信号のキャリアが複数存在しているので、いずれかのキャリアに位相歪みがあっても多数決によりＴＭＣＣ信号を元通りに復号することができる。
【００２８】
同期ワード検出・保護回路１６３では、連続した１６シンボル分のＴＭＣＣ信号のビットをシフトレジスタに順次格納する。新しいビットがシフトレジスタに入力されると、最も古いビットがシフトレジスタから出力される。このようにしてＴＭＣＣ信号の中から１６ビットの同期ワードパターンを検出する。上述したように各フレームは２０４シンボルで構成されているが、各フレームの先頭シンボルを特定するために送信側で予め定められた同期ワードパターンがＴＭＣＣ信号の第１〜第１６ビットに設定されている。したがって、検出した１６ビットの同期ワードパターンを所定の同期ワードパターンと比較し、これらが一致すればフレーム中の先頭シンボルを特定することができる。このような１６ビットの同期ワードは各フレーム単位ごとにあるが、［0011010111101110］、［1100101000010001］、［001101011110110 ］・・・というように各フレームごとに反転する。したがって、所定の同期ワードパターンを一旦見つければ、そのパターンがフレーム単位で周期的に現われるか否かを確認する。このように各シンボルごとに多数決でＴＭＣＣ信号の対応するビットを決定しかつ各フレームの先頭シンボルを特定することによりＴＭＣＣ信号を再生し、これを誤り訂正符号化されたブロック単位でＳＤＳＣ復号回路１６５に与える。
【００２９】
ＳＤＳＣ復号回路１６５では、多数決回路１６４から出力されたＴＭＣＣ信号の誤り訂正を行なう。ここでは多数決回路１６４からＳＤＳＣ復号回路１６５にＴＭＣＣ信号が各ビットごとに与えられるので、このＳＤＳＣ復号回路１６５では硬判定で誤り訂正を行なう。これに代えて、各シンボル内のＴＭＣＣ信号の和をそのままＳＤＳＣ復号回路１６５に与えてもよいが、この場合、ＳＤＳＣ復号回路１６５では軟判定で誤り訂正を行なう。
【００３０】
ＴＭＣＣ信号取得回路１６６では、ＳＤＳＣ復号回路１６５から出力された誤り訂正後のＴＭＣＣ信号を取得する。ノイズなどの影響で誤りを訂正できなかった場合は、以前の状態のＴＭＣＣ信号をタイミング調整回路１６７に与える。
【００３１】
上述したようにＴＭＣＣ信号はＤＢＰＳＫ方式で変復調しているので、理想的にはＴＭＣＣ信号の位相は０度か１８０度である。しかしながら、実際には伝送中の歪みにより０度または１８０度からわずかにずれている。
【００３２】
図５のコンスタレーション上に示すように、理想的には０度の位相を有するＴＭＣＣ信号のキャリアが振幅歪みおよび位相歪みを受けると、その位相が０度からわずかにずれかつその振幅がわずかに小さくなる。図６に示すように、振幅歪みおよび位相歪みのない場合、Ｉ信号は正の所定値［011100000000］を有し、Ｑ信号は０値［000000000000］を有する。一方、振幅歪みおよび位相歪みを受けた場合、Ｉ信号は正の所定値よりもわずかに小さい値を有し、Ｑ信号は０値よりもわずかに大きい値を有する。
【００３３】
また、図７のコンスタレーション上に示すように、理想的には１８０度の位相を有するＴＭＣＣ信号のキャリアが振幅歪みおよび位相歪みを受けると、その位相が１８０度からわずかにずれかつその振幅がわずかに小さくなる。図８に示すように、歪みのない場合、Ｉ信号は負の所定値［100011111111］を有し、Ｑ信号は０値［000000000000］を有する。一方、歪みを受けた場合、Ｉ信号は負の所定値よりもわずかに小さい値を有し、Ｑ信号は０値よりもわずかに大きい値を有する。
【００３４】
したがって、ＤＢＰＳＫ復調回路１６２では、実際には、現在のシンボル中のＴＭＣＣ信号のキャリアとその１つ前のシンボル中のＴＭＣＣ信号のキャリアとの位相差が０度に近いか１８０度に近いかで「０」か「１」かを判別する。したがって、Ｉ信号およびＱ信号の上位数ビットを検出すれば「０」か「１」かを十分判別することができる。
【００３５】
一般に、多少大きな位相歪みおよび振幅歪みを受けても正確にＴＭＣＣ信号を復号できるように常に上位６ビット程度を用いる方法が考えられる。復号に用いるビット数を増やせば復号精度は上がるが、ＤＢＰＳＫ復調回路１６２の回路規模が大きくなる。また、同一シンボル内にはＮ個のＴＭＣＣ信号があるので、１つ前のシンボル内のＴＭＣＣ信号を記憶しておくために、復号に用いるビット数のＮ倍の記憶容量が必要となる。
【００３６】
復号に用いるビット数を少なくすれば回路規模を小さくすることができるが、復号精度が下がり、比較的大きな位相歪みおよび振幅歪みを受けた場合に正確にＴＭＣＣ信号を復号することができなくなる。
【００３８】
そこで、この発明の実施の形態ではＴＭＣＣ信号のキャリアが位相歪みおよび振幅歪みを受け、そのレベルが低くなった場合でも正確にＴＭＣＣ信号を復号することができるように、有効ビット抽出回路１６１を設けている。この有効ビット抽出回路１６１では、ＴＭＣＣ信号のキャリアを示す全ビットの中から有効な数ビットを抽出する。より具体的には、ＭＳＢに最も近くかつＭＳＢの値と異なる値を有するビットを中心に３ビットを抽出する。
【００３９】
図９を参照して、有効ビット抽出回路１６１は、Ｉ信号およびＱ信号の符号を判別する符号判別回路１６１１と、Ｉ信号またはＱ信号が正の場合にＭＳＢから順にビットを検索して「１」を有する最初のビットの位置を特定するビット検索回路１６１２と、Ｉ信号またはＱ信号が負の場合にＭＳＢから順にビットを検索して「０」を有する最初のビットの位置を特定するビット検索回路１６１３と、ビット検索回路１６１２または１６１３により特定されたビットを中心として３ビットを抜出すビット抜出回路１６１４とを含む。
【００４０】
図５および図６に示したＩ信号およびＱ信号の場合、Ｉ信号およびＱ信号のＭＳＢはいずれも「０」であるから符号判別回路１６１１ではＩ信号およびＱ信号のいずれも正と判断する。この場合、ビット検索回路１６１２においてＩ信号およびＱ信号のビットをＭＳＢから最下位ビット（ＬＳＢ）に向かってそれぞれ順に検索し、最初に「１」があるビットの位置をそれぞれ特定する。歪みのない場合はＩ信号のＭＳＢよりも１つ下のビットを特定し、歪みのある場合はＩ信号のＭＳＢよりも４つ下のビットを特定すると同時にＱ信号のＭＳＢよりも５つ下のビットを特定する。ビット抜出回路１６１４では、歪みのない場合はその特定したビットとその１つ上のビット（ＭＳＢ）とその１つ下のビットとを抜出す。歪みのある場合はその特定した２つのビットの位置を比較し、より上位の位置のビットを中心として３ビットを抽出する。この例ではＩ信号中で特定したビットの方が上位にあるので、Ｉ信号およびＱ信号のいずれについてもＭＳＢよりも４つ下のビットとその１つ上のビットとその１つ下のビットとを抽出する。
【００４１】
一方、図７および図８に示した歪みのあるＩ信号およびＱ信号の場合、Ｉ信号およびＱ信号のＭＳＢはいずれも「１」であるから符号判別回路１６１１ではＩ信号およびＱ信号はいずれも負と判断する。この場合、ビット検索回路１６１３においてＩ信号およびＱ信号のビットをＭＳＢからＬＳＢに向かって順に検索し、最初に「０」があるビットの位置をそれぞれ特定する。この例ではＩ信号についてはＭＳＢよりも４つ下のビットを特定すると同時に、Ｑ信号についてはＭＳＢよりも５つ下のビットを特定する。ビット抜出回路１６１４ではその特定した２つのビットの位置を比較し、より上位のビットを中心として３ビットを抜出す。この例ではＩ信号中で特定したビットの方が上位であるから、Ｉ信号およびＱ信号のいずれについてもＭＳＢよりも４つ下のビットとその１つ上のビットとその１つ下のビットとをそれぞれ抜出す。
【００４２】
このようにして抽出した３ビットのＩ信号と３ビットのＱ信号とをＤＢＰＳＫ復調回路１６２に与える。ＤＢＰＳＫ復調は振幅の絶対値に関係なく、Ｉ信号とＱ信号との比で表わされる位相のみが有効であるから、これら３ビットの信号で十分に復調が可能である。
【００４３】
以上のように構成されたＴＭＣＣ復号回路１６によれば、小さい回路規模でも高精度でＴＭＣＣ信号を復号することができる。
【００４４】
ＴＭＣＣ信号の復号後、検波回路１８では、ＴＭＣＣ復号回路１６から出力されるＴＭＣＣ信号に基づいてＯＦＤＭ復調回路１４から出力されるデータ信号のキャリア（ＴＭＣＣ信号やパイロット信号のキャリアを除く）を復調する。より具体的には、データ信号のキャリアに各階層ごとに割当てられた変調方式をＴＭＣＣ信号に基づいて特定する。ＱＰＳＫ変調、１６ＱＡＭ変調、または６４ＱＡＭ変調されたキャリアに対しては、パイロット信号を利用して振幅および位相の等化を行なう。また、ＤＱＰＳＫ変調されたキャリアに対しては、シンボル間で差動復調を行なう。差動復調すると、振幅および位相等化されたＱＰＳＫ方式の信号となる。
【００４５】
時間・周波数デインタリーブ回路２０では、時間方向、つまりシンボル間でキャリアを並び変えるとともに、周波数方向、つまりシンボル内でキャリアを並び変える。
【００４６】
誤り訂正回路２２では、ビダビ復号およびリードソロモン復号により誤り訂正を行なう。これにより、ＭＰＥＧ−２に準拠したデータストリームを得ることができる。
【００４７】
以上のようにこの実施の形態によれば、ＴＭＣＣ信号のキャリアを表わすビットの中から有効な３ビットのみを抽出する有効ビット抽出回路１６１を設けているため、小さい回路規模でも精度よくＴＭＣＣ信号を復号することができる。
【００４８】
上述した実施の形態ではＭＳＢの値と異なる値を有するビットを特定し、その特定したビットを中心として３ビットを抽出しているが、少なくともその特定したビットとその１つ上のビットとを抽出すれば、精度は少し低下するが、より小さい回路規模でＴＭＣＣ信号を復号することができる。逆に、その特定したビットを中心とする３ビットに加えてさらにその下のビットも抽出すれば、回路規模は少し大きくなるが、より高い精度でＴＭＣＣ信号を復号することができる。
【００４９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００５０】
【発明の効果】
この発明によれば、伝送多重制御信号のキャリアを表わすビットのうち有効な数ビットを抽出しているため、小さい回路規模でも高い精度で伝送多重制御信号を得ることができる。
【図面の簡単な説明】
【図１】  この発明の実施の形態による地上波ディジタルテレビジョン放送受信機のフロントエンド構成を示すブロック図である。
【図２】  図１に示した地上波ディジタルテレビジョン放送受信機における高速フーリエ変換後の信号構成を示す図である。
【図３】  ＤＢＰＳＫ変復調を説明するための図である。
【図４】  図１中のＴＭＣＣ復号回路の構成を示すブロック図である。
【図５】  ＴＭＣＣ信号の正のキャリアを示すコンスタレーション図である。
【図６】  図５に示したＴＭＣＣ信号のキャリアを構成するＩ信号およびＱ信号のビットを示す図である。
【図７】  ＴＭＣＣ信号の負のキャリアを示すコンスタレーション図である。
【図８】  図７に示したＴＭＣＣ信号のキャリアを構成するＩ信号およびＱ信号のビットを示す図である。
【図９】  図４中の有効ビット抽出回路の構成を示すブロック図である。
【符号の説明】
１４  ＯＦＤＭ復調回路、１６  ＴＭＣＣ復号回路、１６１  有効ビット抽出回路、１６２  ＤＢＰＳＫ復調回路、１６１１  符号判別回路、１６１２，１６１３  ビット検索回路、１６１４  ビット抜出回路。
【図１】
0003691307.tif 000002
【図２】
0003691307.tif 000003
【図３】
0003691307.tif 000004
【図４】
0003691307.tif 000005
【図５】
0003691307.tif 000006
【図６】
0003691307.tif 000007
【図７】
0003691307.tif 000008
【図８】
0003691307.tif 000009
【図９】
0003691307.tif 000010